(57)【特許請求の範囲】
【請求項１】
シードテープを繰り出しながら前進することによって前記テープを地表面に沿って敷設する方法において、
前記地表面に平行で装置の進行方向に直角な回転軸を有し、繰り出されたシードテープを地表面に押し付けるための面の一方向が前記回転軸に平行な複数の押付け板を前記回転軸まわりに配置したテープ押付け車輪を準備し、
前記テープ押付け車輪をモータで回転することにより、前記押し付け板がシードテープを地表面に押し付けるとともに近傍の土を掻寄せてシードテープの一部を覆う盛土を行うことを特徴とするシードテープの敷設方法。
【請求項２】
前記押付け板を前記回転軸まわりに等間隔に配置したことを特徴とする請求項１に記載のシードテープの敷設方法。
【請求項３】
シードテープを繰り出しながら前進することによって前記テープを地表面に沿って敷設する装置であって、
前記地表面に平行で装置の進行方向に直角な回転軸，前記回転軸に放射方向に設けられた複数のスポーク，前記スポーク先端に設けられ繰り出されたシードテープを地表面に押し付けるとともに土壌を掻き上げシードテープの一部を覆う盛土を行う前記回転軸に平行な押付け板を含むテープ押付け車輪と、
前記テープ押付け車輪を回転させるとともに前記シードテープを繰り出すモータと、
を備えるシードテープ敷設装置。
【請求項４】
前記押付け板を前記回転軸まわりに等間隔に配置したことを特徴とする請求項３に記載のシードテープ敷設装置。
【発明の詳細な説明】
【０００１】
【発明の属する技術分野】
本発明は、発芽させようとする種子をテープに巻き込んだ播種用のシードテープを、地表面に敷設するためのシードテープの敷設方法とシードテープ敷設装置に関する。
【０００２】
【従来の技術】
従来シードテープによる播種は、水田の場合は、直播きが難しいので苗代に種子を蒔き、発芽後ある程度成長した苗を水田に植え変えている。
乾田（畑）の場合は、地表面にシードテープを敷いてから、円板の周辺部などてテープを土中に押し込んで埋めている。
【０００３】
【発明が解決しようとする課題】
水田や畑にシードテープを用いて、効率よく種子を蒔こうと思っても、単に地表面にテープを繰り出して置いただけでは、水田の場合は、田に水を入れるとき、また畑の場合は、その後の雨や風によって流されたり吹き飛ばされたりすることがある。しかも、水稲や、畑に蒔かれる種子でも、ある種のものは、地表面か、あるいは深さが一定以下の浅い土中でなければ、発芽できないという問題がある。
【０００４】
ところが従来の方法では、各播種に適した土中の浅い位置に、的確に種子を配置し、その位置を長く維持させることはできない。
本発明の目的は、このような課題を解決し、水稲や、畑の浅い位置に蒔く必要のある種子を効率よく蒔くことができ、しかもその位置を長く維持することができるような、シードテープの敷設方法とシードテープ敷設装置を提供することである。
【０００５】
【課題を解決するための手段】
前記目的を達成するために、本発明によるシードテープの敷設方法は、シードテープを繰り出しながら前進することによって前記テープを地表面に沿って敷設する方法において、
前記地表面に平行で装置の進行方向に直角な回転軸を有し、繰り出されたシードテープを地表面に押し付けるための面の一方向が前記回転軸に平行な複数の押付け板を前記回転軸まわりに配置したテープ押付け車輪を準備し、
前記テープ押付け車輪をモータで回転することにより、前記押し付け板がシードテープを地表面に押し付けるとともに近傍の土を掻寄せてシードテープの一部を覆う盛土を行うことを特徴とする。
【０００６】
前記目的を達成するために、本発明によるシードテープの敷設装置は、シードテープを繰り出しながら前進することによって前記テープを地表面に沿って敷設する装置であって、
前記地表面に平行で装置の進行方向に直角な回転軸，前記回転軸に放射方向に設けられた複数のスポーク，前記スポーク先端に設けられ繰り出されたシードテープを地表面に押し付けるとともに土壌を掻き上げシードテープの一部を覆う盛土を行う前記回転軸に平行な押付け板を含むテープ押付け車輪と、
前記テープ押付け車輪を回転させるとともに前記シードテープを繰り出すモータと、
を備えて構成されている。
【０００７】
なお、前記方法および装置において、テープ押付け車輪の前記押付け板を前記回転軸まわりに等間隔に配置することができる。またテープ押付け車輪は、各押付け板が接地するとき回転軸に平行な板面方向が地表面に対して傾斜を有するよう配置することもできる。
【０００８】
【発明の実施の形態】
以下、図面を参照して本発明によるをさらに詳しく説明する。図１は、本発明によるシードテープ敷設装置の要部の配置例を示す説明図である。図２は、シードテープ（以下テープという）の敷設時における、テープ押付け車輪、シードテープ、地表面の関係を示すために、図１の装置の一部を拡大して示した説明図である。
なお、図１および図２は、農耕用車両に牽引される装置の、単位部分を構成する１組みのシードテープ敷設装置を示したもので、一般的には、このような単位部分を、前記車両の後方に車軸に平行に複数個をならべて配置する。
【０００９】
図１において、１は種子が蒔かれる地面、２は装置を牽引する農耕用車両の後輪、３は種子４、４・・・４を包み込んだテープ、１０は本発明のによるシードテープ敷設装置の単位部分である。装置の単位部分１０は、テープ巻き取りドラム１１、テープ送り部１２、テープ押付け車輪１３を備えている。
また、１４は地面を均しながらテープを地表面に密着させるとともに、装置の前進を容易にするそり部であり、図示しないが、テープ送り部内の機構とテープ押付け車輪１３を駆動するモータをテープ送り部１２に備えている。
【００１０】
図１および図２に示すように、テープ押付け車輪１３は、該車輪の回転軸である車軸３１の周りに、等間隔で、車軸３１に平行な複数の押付け板３２、３２・・・３２が、スポーク３３、３３・・・３３によって支持されている。押付け板３２は、地表面に接するときの角度は、地表面に対し平行でもよいが、敷設後のテープを押さえるための盛土の形や大きさを適度にするためには、地表面に対し若干の傾斜がある方が良い。またこの傾斜は、テープ押付け車輪１３の進行とともに、押付け板３２の押し付けが強くなるような傾斜が良いようである。
【００１１】
なお、押付け板３２は、本実施形態例では、回転軸に平行な方向に長手の長方形の表面を有しているが、この面は回転軸に平行な方向に短手の長方形でもよく、他の形、例えば円あるいは楕円などでもよい。
また、車軸３１の周りに等間隔で配置されているが、必ずしも等間隔でなくてもよい。またさらに、テープ押付け車輪の全体の形が、断面が多角形の筒状で押付け板同士が隙間無く連続していてもよい。
いずれにしても、地表面で円滑に回転し、土を掻寄せてテープを押さえるための盛土を有効に形成することができればよい。
【００１２】
図１に示すように、ドラム１１から繰り出されたテープ３は、テープ送り部１２に導入され、自由に回転する従動ローラ２１によって向きを変えた後、駆動ローラ２２によって附勢され、駆動ローラ２２と従動ローラ２３の間から下方に送り出される。
その後テープ３は、従動ローラ２４によって方向を変え、装置の前進とともに真っ直ぐ後方に敷かれる。
【００１３】
図２において、５、５・・・５は、地面１上に繰り延べられたテープを、地面１に固定するための盛土である。
盛土５は、テープ押付け車輪１３が回転するとき、押付け板３２がテープ３を地表面に押し付けながら、周囲の土を掻き寄せることによって作られる。
盛土５とそれに続く盛土５の間隔は、殆ど車輪１３の構造（押付け板３２同士の間隔など）で決まるが、盛土５の形状（高さや進行方向の幅など）は、押付け板３２の傾斜によっても大きく変わる。
【００１４】
テープ３の上を覆う盛土５の高さは、高いほど水田に水を入れるときに水に流されず、畑の場合は、テープを敷いてから強風に吹き飛ばされたり、豪雨に流されたりする恐れは少なくなる。一方、必要以上に高いと、水稲や、蒔かれる野菜の種類などによって異なるが、発芽できない種子が多くなる。
すなわち、テープ３の上を覆う盛土５の高さは、テープ３に包まれている種子４の発芽に重大な関係がある。例えば直蒔きの水稲の場合、種子の位置が地表面下約５ｍｍが発芽できる限度であり、種子の上に約１ｃｍの盛土があれば、殆ど発芽しない。
【００１５】
図３は、盛土５の高さがテープ上約２ｃｍで、盛土５のピークとピークの間隔が約１５ｃｍの場合の、直播き水稲の発芽条件を示す説明図である。
図３において、Ａは発芽が良好な区域であり、Ｂは発芽が不良な区域であり、Ｃは発芽が不安定な境界区域である。
図３の（ａ）は、テープ３ａに包まれている種子と種子の間隔が約２ｃｍの場合を示し、（ｂ）は、テープ３ｂに包まれている種子と種子の間隔が約３ｃｍの場合を示している。これを見ても判るように種子の間隔を狭くすることによって、発芽密度を上げることができる。実際には多種類の種子間隔のものを用意し、希望する発芽密度が得られるよう選択して使用すればよい。
【００１６】
なお、押付け板３２の取付け構造や形状を工夫し、テープ押付け車輪１３の駆動をテープ３の繰り出しに同期させるとともに、テープ３に配置されている種子４の間隔の適当なものを選ぶことによって、発芽が良好な区域Ａ内にのみ種子４のすべてが位置し、発芽しない種子の無駄な敷設を避けることができる。
【００１７】
図４は、図１に示す装置の単位部分を横に並べて取りつけた、本発明のシードテープ敷設装置の、使用状況の一部を示す斜視図である。
例えば、農耕用車両の後輪の轍の跡を避けて、装置の単位部分を６個並べて取付けた装置によりテープ３、３・・・３を敷設すれば、車両幅より遙に広い範囲にわたって、車両の１回の運行によって、同時に６条のテープを敷設することができる。
【００１８】
【発明の効果】
以上、説明したように本発明によるシードテープの敷設方法とシードテープ敷設装置は、地表面に繰り延べたテープの上から、テープ押付け車輪の押し付け板によってテープを押し付けながら、周囲の土を掻き寄せて盛土としてテープの一部を固定することにより、水稲の場合は水を入れるとき、畑に蒔かれた場合は、強風、豪雨などにより、飛ばされたり流されたりする心配がなくなるという効果がある。
なお、テープ押付け車輪の押し付け板については、接地時の進行方向の面を、地表面に対し傾斜を持たせることによって、前記盛土を適当な形にして効率よく成形することができるという利点が生じる。
【図面の簡単な説明】
【図１】本発明によるシードテープ敷設装置の要部の配置例を示す説明図である。
【図２】図１の実施形態例によるテープ敷設時の、テープ押付け車輪、シードテープ、地表面、の関係を示す説明図である。
【図３】盛土５の高さと種子間隔に関する発芽条件を示す説明図である。
【図４】装置の単位部分を並べた実施形態の使用状況例を示す斜視図である。
【符号の説明】
１  地面
２  農耕用車両の後輪
３  シードテープ
４  種子
５  盛土
６  発芽
１０  装置の単位部分
１１  テープ巻き取りドラム
１２  テープ送り部
１３  テープ押付け車輪
３２  押付け板
【図１】
0003844382.tif 000002
【図２】
0003844382.tif 000003
【図３】
0003844382.tif 000004
【図４】
0003844382.tif 000005